(57)【特許請求の範囲】
【請求項１】
光源を具備する照射部と、
前記光源の点灯制御の選択を行うスイッチと、
前記照射部の周囲に設けられ、且つ該照射部を支持する支持部と、
前記支持部の内側に位置し、且つ該支持部を回転可能に支持する支持リングと、
底部と該底部から立設するように形成され且つ前記支持リングの内側に位置する支持柱とを具備し、且つ前記支持リングを回転可能に支持するハウジングと、を備え、
前記スイッチは、前記ハウジングに支持されていることを特徴とする室内照明灯。
【請求項２】
前記支持柱は、前記支持リングを支持する軸配設面が、前記支持リングの縁側に傾斜するように設けられている請求項１記載の室内照明灯。
【請求項３】
前記支持柱は、前記支持リングを支持する軸配設面の反対側の面である軸配設裏面に、立設方向にリブが設けられている請求項２記載の室内照明灯。
【請求項４】
前記支持柱は、前記軸配設裏面が前記支持リングの縁側に傾斜するように設けられている請求項３記載の室内照明灯。
【発明の詳細な説明】
【技術分野】
【０００１】
本発明は、例えば自動車等の室内の天井に装備するのに好適な室内照明灯に関し、更に詳しくは、照射部を大きくして従来にない美観の意匠を備えることができ、照射方向を任意の方向且つ大きな範囲で変更可能な室内照明灯に関する。
【背景技術】
【０００２】
従来より、自動車等の屋根付きの車両の天井に装備する室内照明灯として、光源部を回転させることによって照射方向を変更可能なものが知られている。この種の室内照明灯としては、例えば、図９に示すように、円形の光源部１０１を備えた室内照明灯１００が知られている（例えば、特許文献１参照）。この室内照明灯１００は、光源部１０１のレンズを支持するベゼル１０１ａの外側部が球面であり、且つハウジング１０２がその外側部の表裏面から把持するように設けられており、この外側部が本体に対して摺動可能に支持されている（特許文献１の図１参照）。これにより、光源部１０１の照射方向を自由に変更することができ、通常前側座席前方となるバックミラー周辺や、サイドウィンドウ上方等に設けられて使用される。
また、この種の室内照明灯１０３としては、例えば、図１０に示すように、円形の光源部１０４とその横に設けられたスライド式スイッチ１０５を一体に備えたものが知られている。この室内照明灯１０３では、図１１に示すように、レンズ１０６の外側面に設けられた互いに垂直な２つの回転軸１０７（片方のみ図示）により本体１０８に回転可能に支持されている。これにより、照射部であるレンズ１０６の照射方向を自由に変更することができる。
【０００３】
【特許文献１】特開２００５−１２５８７０号公報
【０００４】
しかし、前記従来の室内照明灯１００，１０３では、照射方向を大きな角度で変えることができなかった。即ち、室内照明灯１００において、照射方向を大きな角度で変えるにはベゼル１０１ａの球面部分を大きくする必要があるが、大きくすると、ベゼル１０１ａが回り込んでしまうためにハウジング１０２による把持が困難になるからである。
また、室内照明灯１０３は、照射方向を大きく角度で変えると回転軸１０７の構成要素が本体１０８と衝突してしまうため、大きな角度で照射方向を変えることができなかった。更に、レンズ１０６の外周側に回転軸１０７の構成要素を配設するための場所を用意する必要があり、本体１０８に対してレンズ１０６を大きくすることが困難であった。
また、室内照明灯１００，１０３は、照射方向が変化しても光源の向きが変わらないため、照射光量のむらが生じたり、照射方向の制限が生じたりしていた。
【発明の開示】
【発明が解決しようとする課題】
【０００５】
本発明は、前記現状に鑑みてなされたものであり、照射部を大きくして従来にない美観の意匠を備えることができ、照射方向を任意の方向且つ大きな範囲で変更可能な室内照明灯を提供することを目的とする。
【課題を解決するための手段】
【０００６】
本発明は、以下の通りである。
１．光源を具備する照射部と、前記光源の点灯制御の選択を行うスイッチと、前記照射部の周囲に設けられ、且つ該照射部を支持する支持部と、前記支持部の内側に位置し、且つ該支持部を回転可能に支持する支持リングと、底部と該底部から立設するように形成され且つ前記支持リングの内側に位置する支持柱とを具備し、且つ前記支持リングを回転可能に支持するハウジングと、を備え、前記スイッチは、前記ハウジングに支持されていることを特徴とする室内照明灯。
２．前記支持柱は、前記支持リングを支持する軸配設面が、前記支持リングの縁側に傾斜するように設けられている上記１．記載の室内照明灯。
３．前記支持柱は、前記支持リングを支持する軸配設面の反対側の面である軸配設裏面に、立設方向にリブが設けられている上記２．記載の室内照明灯。
４．前記支持柱は、前記軸配設裏面が前記支持リングの縁側に傾斜するように設けられている上記３．記載の室内照明灯。
【発明の効果】
【０００７】
本発明の室内照明灯によれば、照射部を支持する支持部の内側に支持リングを設け、更にその内側に支持柱を設け、且つ支持リングにより２軸の方向に回転可能としたため、支持リングが外部に露出することなく可動する角度をより広角にすることができ、照射部の向きを変えることによって車内全体を照射することができる。
また、可動して照射方向を変えることができる照射部は、共に回動する光源を備えるため、照射部を変えても光軸等の光学系の変化が生じず、一様な照射能力を得ることができる。特に、ＬＥＤ等の指向性が高い光源を用いても、問題がなく好ましい。
また、ハウジング内の、照射部等の外周側に支持リング等の回転機構を配設するための場所を必要とすることがなく、照射部等を大きくすることができ、デザインの自由度が高まって意匠性を高めることができる。更に、大光量の照明とすることも容易にできる。
このように、照射方向を変えることができ、且つ大光量の照明とすることができるため、マップランプ、バニティランプやトランクランプ及びスポットランプ等のような補助光源として使用するだけではなく、ルームランプ等の全体照明として使用することもでき、一灯で様々な用途に用いることができる。
【０００８】
支持柱の軸配設面が支持リングの縁側に傾斜する場合は、支持部及び支持リングが回転して支持柱に接触するときの角度が、軸配設面が垂直の時よりも大きくすることができ、可動する角度をより広角にすることができるため、照射部の向きを変えることによって車内全体を照射することができる。
支持柱の軸配設裏面にリブが設けられている場合は、支持部及び支持リングの回転する角度が狭くなることなく、支持柱を強化することができる。これにより、回転操作等のために力が加えられる支持部及び支持リングを支持する支持柱がより破損しにくくなり、強固な室内照明灯を得ることができる。
支持柱の軸配設裏面が支持リングの縁側に傾斜する場合は、照射部が回転しても支持柱により接触しにくくなり、照射部の回転角度を軸配設面が垂直の時よりも広角にすることができるため、照射部の向きを変えることによって車内全体を照射することができる。
【発明を実施するための最良の形態】
【０００９】
本発明の室内照明灯１は、図１及び２に例示するように、光源２を具備する照射部４と、光源２の点灯制御の選択を行うスイッチ５と、照射部４の周囲に設けられ、且つ照射部４を支持する支持部７と、支持部７の内側に位置し、且つ支持部７を回転可能に支持する支持リング８と、底部１０ａと底部１０ａから立設するように形成され且つ支持リング８の内側に位置する支持柱１０ｂ、１０ｃとを具備し、且つスイッチ５を支持し、並びに支持リング８を回転可能に支持するハウジング６と、を備えることを特徴とする。
【００１０】
本室内照明灯は自動車等の室内の天井に装備することができる。また、照射部を回転させて任意の照射方向を得る必要がある室内照明灯に用いることができ、例えば、車両、船舶及び飛行機等の乗り物の室内照明、家具の埋め込み照明等を挙げることができる。
【００１１】
前記「照射部」は支持部及び支持リングによってハウジングに支持され、且つ支持部及び支持リング間と、支持リング及びハウジング間の２軸で照射方向を変えることができるものである限り、その大きさ、個数等は特に問わない。また、２つの軸は通常直交するように配設するが、それに限られず、互いになす角度は特に問わない。また、照射部は光源を備えるため照射部の向きの変更により光源の向きも同時に変化する。
前記「光源」は電気的に発光するものである限り、その種類、形状、大きさ、個数等は特に問わない。この光源は、例えば、ＬＥＤとすることができる。
また、照射部及び／又は光源にレンズを設け、光源から発せされる光束を調節することができる。このレンズは、光源からの光を用途に応じて範囲に拡散することができればよく、その大きさ、材質及び形状等を問わない。
【００１２】
前記「スイッチ」は光源の点灯制御の選択を行うことができればよく、その形状や大きさ等は特に問わない。この「点灯制御の選択」は、任意に選択することができ、例えば、室内照明灯の常時点灯、常時消灯及びドアの開閉に連動する点灯からなる３つの状態を選択可能であってもよいし、室内照明灯の点灯及び消灯からなる２つの状態を選択可能であってもよい。更に、室内照明灯の点滅や照度の選択等を行うことができる。
【００１３】
前記「支持部」は、照射部の周囲に設けられ、照射部を支持し、且つ支持リングに回転可能に支持されていればよく、その大きさ、形状及び材質等は特に問わない。この例として、中央に照射部を設ける孔を設けた椀形状を挙げることができる。また、支持部は、意匠として目視できる位置に露出して設けられていてもよいし、照射部等によって目視できない位置に隠れて設けられていてもよい。
前記「支持リング」は、支持部の内側に位置し、且つ支持部を回転可能に支持し、更に、ハウジングに回転可能に支持されているリングであればよく、その大きさ及び材質等は特に問わない。また、支持リングは通常環状であるが、それに限らず他の部材との接触を避ける等のために一部分に凹みを設ける、開環する等としていてもよい。
【００１４】
前記「ハウジング」は支持リングとスイッチとを支持する限り、その形状や大きさ等は特に問わない。ハウジングの材質としては例えば、合成樹脂製、金属製等を挙げることができる。また、このハウジングは任意の平面形状を選択することができ、真円形、正多角形（例えば正三角形〜正十二角形等）及び楕円形等を例示することができる。これらのうち、真円形が特に好ましい。従来の室内照明灯と大きく異なる意匠を得ることができるためである。
更に、ハウジングの底部から立設するように形成される支持柱は、１本又は２本設けられ、その先端が支持リングを回転可能に支持する。また、照射部、支持部及び支持リングの回転に支障が生じない形状であればよく、任意の形状を選択することができる。例えば、図２及び４に例示するように、支持リング８を支持する軸２３，２４及び／又は軸受（図示せず）が設けられている軸配設面１０ｅが、支持リング８の縁側に傾斜するように設けることができる。
このような形状は、支持柱１０ｂ、１０ｃの底部１０ａ側が照射部４、支持部７及び支持リング８における、ハウジング６の底面上に投影した中心側に寄る。このため、図６に例示するように、照射部４等の縁部がより大きく回転して支持リング８を支持する軸２３，２４よりも内側に入っても支持柱１０ｂ、１０ｃに接触しないようにすることができ、照射部４をより広角に回転できるようになる。尚、軸配設面１０ｅは、平面に限らず、湾曲面でもよいし、側面形状がジグザグとなる屈曲面でもよい。これらの面形状は、照射部４等がより広角に回転してもその縁部が軸配設面１０ｅに接触しにくくなるように底部１０ａ側の空間を広く取るために有効である。
更に、図４に例示するように支持柱１０ｂ、１０ｃの軸配設裏面１０ｆにリブ１０ｇを設けることができる。照射部４等が回転しても、軸配設裏面１０ｆより軸配設面１０ｅが先に該縁部に接触するため、軸配設裏面１０ｆにリブ１０ｇを設けても照射部４の回転可能な角度に影響することなく、支持柱１０ｂ、１０ｃの強度を高めるのに有効である。
また、図２及び４に例示するように、支持柱１０ｂ、１０ｃの軸配設裏面１０ｆが、支持リング８の縁側に傾斜するように設けることができる。このような軸配設裏面１０ｆを備える支持柱１０ｂ、１０ｃは、支持リング８を支持する先端側の空間をより広く確保することが容易であり、図６に例示するように、照射部４が回転して支持柱１０ｂ、１０ｃに接触するときの角度が、軸配設裏面１０ｆが垂直の時よりも大きくすることができる。
更に、支持柱は底部を１本とし、途中で分岐したＹ字形状にすることができる。このような支持柱は、分岐した先端側で支持リングを支持するように設けることができ、照射部等の縁部がより軸配設面に接触しないようにすることができる。
【実施例】
【００１５】
以下、図面を用いて本発明を具体的に説明する。本実施例は、自動車等の乗用車用の室内照明灯である。
（１）実施形態の構成
本実施例の室内照明灯１は、図３〜図６に示すように、光源２及びレンズ３を有する照射部４と、光源２のオンオフ制御を行うリング式スイッチ５と、照射部４及びリング式スイッチ５を支持するハウジング６と、照射部４をハウジング６に対して支持する支持部であるレンズホルダ７及び支持リング８と、を備えている。また、リング式スイッチ５の内縁とレンズホルダ７の表面は近接及び／又は接触するように位置する。
ハウジング６は円形で合成樹脂からなり、室内側に露出するアウターベゼル９と、その裏側に蓋のように取り付けられるアウタープレート１０とを備えている。これらアウターベゼル９とアウタープレート１０との中に他の部品が収容される。
照射部４は、光源２であるＬＥＤを具備するＬＥＤユニット１１と、光源２からの光線の拡散を防止するＬＥＤホルダー１２と、レンズ３と、これらを一体化するＬＥＤホールドプレート１３と、を備えている。この照射部４はレンズホルダ７に固定されている。
【００１６】
レンズホルダ７の内側には円環形状の支持リング８が設けられている。支持リング８は、外周側に突出した第１の回転軸端１４と、この第１の回転軸端１４の反対側に形成された第１のシム受け孔１５と、第１の回転軸端１４と９０度ずれた位置に形成された第２の軸受１６と、この第２の軸受１６の反対側に形成された第２のシム受け孔１７とを備えている。第１のシム受け孔１５には第１のシム１８が、第２のシム受け孔１７には第２のシム１９がそれぞれ回転可能に設けられている。各シム１８，１９はエラストマー製とされている。
【００１７】
また、アウタープレート１０は、中央に孔が設けられている円板状体である底部１０ａと、底部１０ａの孔の周に沿って向かい合うように立設されている２つの支持柱１０ｂ、１０ｃと、底部１０ａの外周部であり且つアウターベゼル９の端部と接続されている外周部１０ｄとからなる。更に、一方の支持柱１０ｂの先端側の軸配設面１０ｅには、支持リング８の第２の軸受１６を受ける第２の回転軸端２３が形成されている。また、他方の支持柱１０ｃの先端側の軸配設面１０ｅには、第２のシム１９を保持する第２のシム受け２４が形成されている。更に、第２の軸受１６が第２の回転軸端２３と組み合わされ、且つ第２のシム受け２４が第２のシム受け孔１７に設けられる第２のシム１９と組み合わされて第２の回転軸２５として構成される。これによって、支持リング８は、任意の角度に回転及び維持することができるようにアウタープレート１０によって支持されている（図２参照）。
更に、支持柱１０ｂ、１０ｃは、支持リング８を支持する第２の回転軸端２３及び第２のシム受け２４が設けられている軸配設面１０ｅは、支持リング８の縁側に傾斜するように設けられている。即ち、図２において２本の支持柱１０ｂ、１０ｃが支持リング８側になるほど広がる略ハ字形状となるように設けられている。また、軸配設面１０ｅの反対側の面である軸配設裏面１０ｆも、軸配設面１０ｅと同様に支持リング８の縁側に傾斜するように設けられている。更に、軸配設裏面１０ｆには、支持柱１０ｂ、１０ｃの長手方向にリブ１０ｇが設けられている。
ここで、レンズホルダ７と支持リング８とを連結する第１の回転軸２２と、支持リング８とアウタープレート１０とを連結する第２の回転軸２５とのなす角度は９０度としている（図４参照）。また、各回転軸での最大回転角度は５６度としている（図５及び６参照）。
【００１８】
レンズホルダ７の外側にはリング式スイッチ５が設けられている。リング式スイッチ５は、円環状のスイッチノブ２６と、スイッチの接点となる金属製のスイッチプレート２７と、スイッチプレート２７に付勢するスイッチスプリング２８と、スイッチの回転時に節度感を出すためのピン２９及びピンスプリング３０と、を備えている。スイッチノブ２６の周縁には等間隔、つまりスイッチノブ２６を二分する位置に設けられた一対のフランジ３１を備えている。このフランジ３１はアウターベゼル９とアウタープレート１０により形成される案内孔３２に入って所定の回転角度内で案内され、スイッチノブ２６の回転軸となる。
スイッチプレート２７は、アウタープレート１０に装着された基板３３の接点パターンに接触する。ピン２９はアウタープレート１０に形成された３つの凹部３４に移動可能に入り込んでいる。そして、スイッチノブ２６を回転することにより、ピンスプリング３０によって凹部３４に付勢されたピン２９が一方の凹部３４から他方の凹部３４に移動することでスイッチの状態が変化した感触を得ることができる。これと同時にスイッチプレート２７が基板３３に対して移動し、接点パターンの接続状態が変化する。本実施例では、照明の常時点灯、常時消灯及びドアの開閉に連動する点灯の３つの状態を選択可能なものとしている。
アウターベゼル９は、室内側に露出するフランジ３９と、天井３５の裏側に引っ掛かる爪３６及び係合バネ３７とを備えている。係合バネ３７は爪３６と反対側に配置されており、室内照明灯１の天井３５への装着時には弾性変形して装着可能となり、装着後には天井３５の裏面に引っ掛かって脱落を防止する構造となっている。アウタープレート１０には基板３３が取り付けられている。基板３３とＬＥＤユニット１１とはワイヤハーネス３８で接続されている。
【００１９】
この室内照明灯１は、乗用車の前部座席上方の天井３５であり、バックミラー周辺の位置に１個だけ設けられている。これにより、前部座席の乗員の手元から後部座席の後ろの荷室まで広い範囲を照射することができる。
【００２０】
（２）実施形態の作用
次に、前記構成の室内照明灯１の組立て手順について説明する。
先ず、レンズ３にＬＥＤホルダー１２を装着し、そこにＬＥＤユニット１１を載せてＬＥＤホールドプレート１３で挟んで照射部４を組み立てる。ＬＥＤユニット１１にワイヤハーネス３８を接続する。この照射部４をレンズホルダ７に装着する。そして、２つのシム１８，１９を取り付けた支持リング８をレンズホルダ７の内側に装着する。この時、第１の回転軸端１４を第１の軸受２０に支持させ、同時に第１のシム１８を第１のシム受け孔１５に支持させるようにする。更に、支持リング８をアウタープレート１０に装着する。この時、アウタープレート１０の第２の回転軸端２３を第２の軸受１６に支持させ、同時に第２のシム１９を第２のシム受け２４に支持させるようにする。
一方、アウターベゼル９の内側にスイッチノブ２６を装着する。この時、スイッチノブ２６のフランジ３１がアウターベゼル９の案内孔３２に入るようにする。そして、スイッチプレート２７とスイッチスプリング２８を装着し、またピン２９とピンスプリング３０も装着する。
続いて、照射部４を組み付けたアウタープレート１０をアウターベゼル９に取り付ける。更に、アウタープレート１０の外側に基板３３をネジ留めし、ワイヤハーネス３８を接続する。
室内照明灯１を天井３５に取り付ける際は、図７に示すように、アウターベゼル９の爪３６を天井３５の装着穴の縁に斜めに引っ掛け、それから反対側を持ち上げて係合バネ３７を弾性変形させて天井３５の裏に押し込むようにする。これにより、爪３６と係合バネ３７が天井３５の裏に引っ掛かって脱落が防止される。
【００２１】
次に、前記構成の室内照明灯１の動作について説明する。
使用者がスイッチノブ２６を把持して回転させると、スイッチプレート２７が移動して光源２のオンオフが切り替わる。また、使用者が照射部４のレンズホルダ７を把持して光軸を変えるように外力を加えると、図７に示すように、レンズホルダ７がアウタープレート１０に対して支持リング８の２つの回転軸２２，２５を介して適宜回転する。これにより、可動範囲内で任意の位置を照射することができるようになる。ここで、回転軸２２，２５にはシム１８，１９を使用しているので、任意の角度に設定したまま維持することができる。
【００２２】
（３）実施形態の効果
本実施例の室内照明灯１によれば、レンズホルダ７の内側に２つの回転軸２２，２５を設けているので、照射部４の可動範囲を大きく設定することができる。具体的には、図１０及び１１に示した従来の室内照明灯１０３では照射部４の可動範囲が２４度程度に留まっているのに対し、本実施例では図５及び６に示すように支持リング８が第２の回転軸端２３及び第２のシム受け２４が設けられている位置よりも内側に入り込むことによって、５６度という大きな可動範囲の設定が可能である。これにより、本実施例によれば、乗用車の前座席の天井３５であり、バックミラー周辺の位置に室内照明灯１を１個設けるだけで室内の全体を照射可能な範囲に含めることができるようになる。したがって、従来のように天井中央のランプの他にバニティランプやトランクランプ等の複数の室内照明灯を設置する場合に比べて、照明の数を大幅に削減することができ、一灯で様々な用途に用いることができる。
また、本実施例では、軸配設裏面１０ｆにリブ１０ｇが設けられており、レンズホルダ７を把持して光軸を変えるように外力を加えても支持柱１０ｂ、１０ｃが容易に破損することがない強度を備える。
更に、本実施例では、光源２がＬＥＤであるので、バルブを使用する場合に比べてスポット性を高めることができ、且つ小型化を図ることができる。また、光源２を小さくすることができるため、照射部４内に設けることができ、照射部４の向きを変えても光量が変化しない室内照明灯を得ることができる。
【００２３】
尚、本発明においては、前記実施例に限られず、目的、用途に応じて本発明の範囲内で種々変更した実施例とすることができる。即ち、前記実施例では、２本の支持柱１０ｂ、１０ｃを備えるがこれをＹ字形状である１本の支持柱として、分岐された２つの先端で支持リング８を回転可能に支持することができる。また、前記実施例では、光源２としてＬＥＤを使用するようにしたが、これに限定されず、例えば、バルブを使用するようにしてもよい。また、前記実施例では、レンズホルダ７の内側に２つの回転軸２２，２５を設けるようにしたが、これに限定されず、例えば、レンズホルダ７の外側に２つの回転軸を設けるようにしてもよい。
更に、前記実施例では、照射部４が光源２及びレンズ３を有するようにしたが、これに限定されず、例えば、照射部４は光源２のみを有してレンズ３を有さないようにしたり、あるいは光源２はハウジング６に固定して照射部４はレンズ３のみ有するようにしてもよい。
また、前記実施例では、室内照明灯１を乗用車の天井３５の１箇所にのみ設置するようにしたが、これに限定されず、例えば、複数箇所に設けるようにしてもよい。
【産業上の利用可能性】
【００２４】
本室内照明灯は、自動車の室内照明灯として利用される。特に、意匠性が高く、且つ小型化された室内照明灯として好適に利用される。
【図面の簡単な説明】
【００２５】
【図１】実施例に係る室内照明灯を第１の回転軸に沿って切断した状態を示す縦断面図である。
【図２】実施例に係る室内照明灯を第２の回転軸に沿って切断した状態を示す縦断面図である。
【図３】室内照明灯の分解組立図である。
【図４】レンズホルダと支持リングと支持柱との支持の構造を説明するための部分斜視図である。
【図５】照射部を最大に回転させた状態を示す縦断面図である。
【図６】照射部を最大に回転させた状態を示す縦断面図である。
【図７】室内照明灯を天井に装着する作業途中の状態を示す縦断面図である。
【図８】照射部の回転のパターンを示す斜視図であり、（Ａ）は中立位置にある場合、（Ｂ）は第１の回転軸を中心に回転した場合、（Ｃ）は第２の回転軸を中心に回転した場合を示す。
【図９】従来の室内照明灯を示す斜視図である。
【図１０】従来の他の室内照明灯を示す斜視図である。
【図１１】図１０のＸ−Ｘ線で切断した状態を示す断面図である。
【符号の説明】
【００２６】
１；室内照明灯、２；光源、３；レンズ、４；照射部、５；リング式スイッチ、６；ハウジング、７；レンズホルダ（支持部）、８；支持リング、１０；アウタープレート、１０ａ；底部、１０ｂ；支持柱、１０ｃ；支持柱、１０ｅ；軸配設面、１０ｆ；軸配設裏面、１０ｇ；リブ。
【図１】
0004967968.tif 000002
【図２】
0004967968.tif 000003
【図３】
0004967968.tif 000004
【図４】
0004967968.tif 000005
【図５】
0004967968.tif 000006
【図６】
0004967968.tif 000007
【図７】
0004967968.tif 000008
【図８】
0004967968.tif 000009
【図９】
0004967968.tif 000010
【図１０】
0004967968.tif 000011
【図１１】
0004967968.tif 000012